(57)【要約】  【課題】  取り扱い時の衝撃による音の発生を極力防止したショベル・スコップを提供する。  【解決手段】  把持体４を備えた柄体２を匙体３の柄挿入部３ａに挿入して固着したショベル１において、匙体３の全面または一部に耐摩耗ゴム、またはその他のゴム材、樹脂等の衝撃時の振動を抑える制振防音材５を貼り付ける。これによって、金属製の匙体３にて砕石等をすくうときには、匙体３に貼り付けた制振防音材５が衝撃時の振動を吸収して音が響かず、音の発生を防止する。【選択図】  図１
2005076248.tif 000002
【特許請求の範囲】
【請求項１】
把持体を備えた柄体を匙体の柄挿入部に挿入して固着したショベル・スコップにおいて、前記匙体に衝撃時の振動を抑える制振防音材を貼り付けたことを特徴とするショベル・スコップ。
【請求項２】
前記制振防音材は、耐摩耗ゴム、その他ゴム材、樹脂のいずれかであることを特徴とする請求項１記載のショベル・スコップ。
【請求項３】
把持体を備えた柄体を匙体の柄挿入部に挿入して固着したショベルにおいて、前記匙体に衝撃時の振動を抑えるゴム系塗料、樹脂系塗料のいずれかを塗布したことを特徴とするショベル・スコップ。
【請求項４】
把持体を備えた鋼管製柄体を匙体の柄挿入部に挿入して固着したショベルにおいて、前記鋼管製柄体に衝撃時の振動を抑える制振防音材の貼り付け、柄体内への制振防音材の充填のいずれかを施したことを特徴とするショベル・スコップ。
【発明の詳細な説明】
【技術分野】
【０００１】
本発明は、土木作業や園芸作業等に使用するショベルまたはスコップに関する。
【背景技術】
【０００２】
土木作業や園芸作業等に使用されているショベル・スコップは、金属製の匙体、木製または鋼管製の柄体、及び把持体より構成されている。このショベル・スコップは土木作業や園芸作業の他に、例えば、線路補修工事などに使用されることがある。この線路補修工事では、匙体を砕石内突き入れてすくい上げるときに、金属製の匙体と砕石の接触によって大きな音を発生させることとなり、特に夜間作業においては、付近に住宅があれば騒音発生に気を配りながら作業を行っている。
【発明の開示】
【発明が解決しようとする課題】
【０００３】
しかしながら、上記のように、夜間の線路補修工事においては、騒音発生に気配りしていても耳障りな音を発生させ、近隣住民による騒音苦情によって夜間工事を中止せざるを得ない状況も起こり得る。
【０００４】
本発明は上記の点に鑑み、取り扱い時の衝撃による音の発生を極力防止したショベル・スコップを提供することを課題とする。
【課題を解決するための手段】
【０００５】
上記の課題を解決するために、本発明の請求項１記載のショベル・スコップにあっては、把持体を備えた柄体を匙体の柄挿入部に挿入して固着したショベル・スコップにおいて、前記匙体に衝撃時の振動を抑える制振防音材を貼り付けたことを特徴としている。
【０００６】
また、請求項２記載のショベル・スコップにあっては、前記制振防音材は、耐摩耗ゴム、その他ゴム材、樹脂のいずれかであることを特徴としている。
【０００７】
また、請求項３記載のショベル・スコップにあっては、把持体を備えた柄体を匙体の柄挿入部に挿入して固着したショベル・スコップにおいて、前記匙体に衝撃時の振動を抑えるゴム系塗料、樹脂系塗料のいずれかを塗布したことを特徴としている。
【０００８】
また、請求項４記載のショベル・スコップにあっては、把持体を備えた鋼管製柄体を匙体の柄挿入部に挿入して固着したショベル・スコップにおいて、前記鋼管製柄体に衝撃時の振動を抑える制振防音材の貼り付け、柄体内への制振防音材の充填のいずれかを施したことを特徴としている。
【発明の効果】
【０００９】
本発明に係る請求項１記載のショベル・スコップによれば、匙体に衝撃時の振動を抑える制振防音材を貼り付けたので、匙体に衝撃が加わっても制振防音材によって振動を抑えて音の発生を防止できる。
【００１０】
本発明に係る請求項２記載のショベル・スコップによれば、前記制振防音材は、耐摩耗ゴム、その他のゴム材、樹脂のいずれかであるので、匙体に衝撃が加わっても振動を抑えることができ、音の発生を防止できる。
【００１１】
本発明に係る請求項３記載のショベル・スコップによれば、匙体に衝撃時の振動を抑えるゴム系塗料、樹脂系塗料のいずれかを塗布したので、匙体に衝撃が加わっても振動を抑えて音の発生を防止できる。
【００１２】
本発明に係る請求項４記載のショベル・スコップによれば、前記鋼管製柄体に衝撃時の振動を抑える制振防音材の貼り付け、柄体内への制振防音材の充填のいずれかを施したので、鋼管製柄体に衝撃が加わっても制振防音材によって振動を抑えて音の発生を防止できる。
【発明を実施するための最良の形態】
【００１３】
本発明に係わる請求項１記載のショベル・スコップによれば、匙体に衝撃による振動を吸収するような板状またはシート状の制振防音材を貼り付ける。制振防音材を貼り付ける箇所は、匙体表面の全面であれば防音効果が大きいが、例えば、すくい部、刃先部、足踏み部等の匙体表面の一部分に貼り付けたり、また、摩耗しにくい匙体裏面の柄挿入部などに貼り付けたり、更には前記箇所を適宜組み合わせて貼り付けるなどしてもそれなりの防音効果を発揮できる。このように、匙体の適宜箇所に制振防音材を貼り付けることによって、匙体に衝撃が加わっても制振防音材にて振動を吸収して音が響かず、音の発生を防止できる。
【００１４】
本発明に係わる請求項２記載のショベル・スコップによれば、板状またはシート状の耐摩耗ゴム、またはその他ゴム材、樹脂を制振防音材として匙体に貼り付ける。これらの制振防音材は、接着剤、熱による溶着、熱による溶着を施しながらの圧接、溶射、リベットなど、適宜の方法によって貼り付ける。なお、耐摩耗ゴムは、匙体の表面などの摩耗しやすい箇所への貼り付けもでき、また溶着施工がしやすくて制振防音材として好適である。また、ウレタンゴム等のゴム材や樹脂を使用するときには、匙体に貼り付けてから耐摩耗性の高い鋼板等よる成る板体にて押さえつけながら表面を覆うようにして摩耗対策を施すと良い。このように、耐摩耗ゴム、その他のゴム材、または樹脂を制振防音材として使用すれば安価であり、音の発生の防止も期待できる。
【００１５】
本発明に係わる請求項３記載のショベル・スコップによれば、匙体に制振防音材を貼り付ける代わりに、衝撃時の振動を抑えるゴム系塗料または樹脂系塗料を塗布する。このゴム系塗料または樹脂系塗料によっても音の発生の防止効果が期待できる。
【００１６】
本発明に係わる請求項４記載のショベル・スコップによれば、鋼管製の柄体には、柄体表面に衝撃時の振動を抑えるゴム材や樹脂材等の制振防音材を貼り付けるか、または鋼管製柄体の管内にウレタンゴム等の制振防音材を充填する。これによって、鋼管製柄体に衝撃が加わっても振動を抑えて音の発生の防止が期待できる。
【実施例】
【００１７】
以下、本発明の実施例を図面に基づいて説明する。
【００１８】
図１は本発明のショベル１の正面図であり、木製又は鋼管製の柄体２との一端側に匙体３を、他端側に把持体４を固着して構成され、匙体３には、衝撃による振動を吸収するような制振防音材５を貼り付けている。制振防音材５としては、耐摩耗ゴム、その他のウレタンゴム等のゴム材、樹脂等の衝撃による振動を吸収するような各種材料を使用し、接着剤、熱による溶着、熱による溶着を施しながらの圧接、溶射、またはリベットによる取り付けなどの適宜方法によって貼り付けている。
【００１９】
図２は図１のＡ−Ａ断面図を示すもので、図２（ａ）は、匙体３の制振防音材５の貼り付け部を窪ませて成形し、板状またはシート状の制振防音材５を貼り付けたものである。なお、この貼り付け方法では、制振防音材５の表面は露出していてショベル使用時に砕石等に直接接触して摩耗しやすいので、耐摩耗ゴムを使用すれば摩耗しにくく、また匙体３の表面にも沿わしやすくて溶着施工もしやすく、制振防音材としては好適である。図２（ｂ）は制振防音材５の他の貼り付け実施例を示すもので、耐摩耗ゴム、その他のウレタンゴム等のゴム材、樹脂などの制振防音材５を匙体３の窪ませた箇所に貼り付け、耐摩耗性の高い鋼板等より成る板体６によって押さえ付けながら表面を覆うようにして摩耗対策を施したものである。
【００２０】
また、図２（ｃ）は、匙体３を窪ませずに耐摩耗ゴム、その他のウレタンゴム等のゴム材、樹脂等の制振防音材５を貼り付け、耐摩耗性の高い鋼板等より成る板体６によって覆うようにしたものである。なお、制振防音材５の貼り付け部を窪ませて成形するのは、制振防音材５を剥がれにくくすると共に、すくいあげた砕石等を匙体３表面に沿ってスムーズに流すためであり、また成形部がリブの役目をしてショベル剛性が向上する効果もある。
【００２１】
匙体３に制振防音材５を貼り付ける箇所は、好ましくは砕石等と接触する匙体表面の全面であれば防音効果が大きいが、図１に示すような匙体２の一部でも良いし、また、図３に示すように、匙体３のすくい部の他、柄体２を挿入する匙体３の柄挿入部３ａ、また摩耗が少なくて済む柄挿入部３ａの裏側の窪み部、または匙体３の足踏み部３ｂやその内側、外側に貼り付けても良いし、更には、それらを適宜組み合わせて貼り付けることもできる。
【００２２】
更に、図４に示すように、匙体３のすくい部から足踏み部３ｂにかけて制振防音材５を貼り付けることもでき、また匙体３の刃先部には刃先に被せるように形状加工した耐摩耗ゴムを被せて貼り付けるなど、貼り付け箇所や貼り付け面積によって防音効果の大小はあるもののコストと防音効果等を考慮しながら適宜位置に適宜形状の制振防音材５を貼り付ければそれなりの防音効果が期待できる。
【００２３】
また、匙体３に制振防音材５を貼り付けるのに代えて、匙体３の表面の全面または一部に衝撃による振動を抑えるゴム系塗料や樹脂系塗料を塗布しても良い。この塗料の塗布によっても防音効果が期待できる。
【００２４】
また、柄体２として鋼管製のものを使用するときには、図５に示すように、柄体２の内部に衝撃時の振動を抑えるゴム材や樹脂などの制振防音材５を充填したり、または柄体２の表面に制振防音材を貼り付ける。これによって、鋼管製の柄体２に衝撃が加わっても振動を抑えて音の発生が防止できる。なお、鋼管製の把持体４の内部に制振防音材を充填したり、軽量化のために発泡ウレタンを充填するなどすれば、鋼管内への水分や異物の侵入を阻止して鋼管内からの錆の発生が防げるとともに、防音の効果も期待できる。
【図面の簡単な説明】
【００２５】
【図１】本発明に係るショベルの正面図である。
【図２】図１のＡ−Ａ断面図である。
【図３】本発明に係わるショベルの匙部の他の実施例の正面図と側面図である。
【図４】本発明に係わるショベルの匙部の他の実施例の正面図である。
【図５】図１のＢ−Ｂ断面図である。
【符号の説明】
【００２６】
１…ショベル                ２…柄体
３…匙体                    ３ａ…匙体の柄挿入部
４…把持体                  ５…制振防音材
【図１】
2005076248.tif 000003
【図２】
2005076248.tif 000004
【図３】
2005076248.tif 000005
【図４】
2005076248.tif 000006
【図５】
2005076248.tif 000007